(57)【要約】      （修正有）【課題】インパクト時に良い感触があり、かつ良く機能する、ブレードタイプのアイアンゴルフクラブまたはゴルフクラブヘッドを提供する。【解決手段】ブレードタイプのゴルフクラブヘッドは、金属材料から鍛造されたボディを含み得る。ボディは、ホーゼル１２６、上面１１２、ソール１１４、ヒール１１６、トウ１１８、打球サーフェス、および打球サーフェスとは反対側のリヤサーフェス１２０を含み得る。リヤサーフェスは、上ブレード部分２１０およびマッスル部分２２０を有し、上ブレード部分は、ブレードインターフェースによってマッスル部分から隔てられる。打球中心線からトウ側境界線までのマッスル部分の高さの平均は、ヒール側境界線から打球中心線までのマッスル部分の高さの平均の約２倍であり得る。マッスル部分の質量分布は、クラブヘッドの重心をフェース中心位置のより近くに移動させる。【選択図】図９
2015144806.tif 000002
【特許請求の範囲】
【請求項１】
上面、ソール、ヒール、およびトウと；
打球区域を有する打球サーフェスと；
該打球サーフェスとは反対側のリヤサーフェスであって、別個のブレード部分およびマッスル部分を有し、該ブレード部分が、ブレードインターフェースによって該マッスル部分から隔てられ、該ブレード部分および該マッスル部分が該リヤサーフェスを横方向にわたって延び、さらに該ブレード部分が該上面から該ブレードインターフェースまで延び、該マッスル部分が該ブレードインターフェースから該ソールまで延びる、リヤサーフェスと
を含み、
該ブレードインターフェースが、第一のブレードインターフェースと、収束点で該第一のブレードインターフェースと交わる第二のブレードインターフェースとを含み、該第一のブレードインターフェースがクラブヘッドのヒールから該収束点まで延び、該第二のブレードインターフェースが該収束点から該クラブヘッドのトウまで延び、該第一のブレードインターフェースおよび該第二のブレードインターフェースが該収束点でインターフェース角を形成し、該インターフェース角が鈍角である、ブレードタイプのアイアンゴルフクラブヘッド。
【請求項２】
ブレード部分が、約6mm〜8mmの、概ね均一の厚さを有し、マッスル部分が、該ブレード部分の厚さよりも大きい厚さを有し、該マッスル部分の厚さが、約8mm〜16mmである、請求項1に記載のブレードタイプのアイアンゴルフクラブヘッド。
【請求項３】
打球区域が、ヒール側境界線、トウ側境界線、および該ヒール側境界線と該トウ側境界線から等距離に位置する打球中心線を画定する、請求項1に記載のブレードタイプのアイアンゴルフクラブヘッド。
【請求項４】
打球中心線からトウ側境界線までのマッスル部分の高さの平均が、ヒール側境界線から該打球中心線までのマッスル部分の高さの平均よりも少なくとも50％大きい、請求項3に記載のブレードタイプのアイアンゴルフクラブヘッド。
【請求項５】
打球中心線からトウ側境界線までのマッスル部分のトウの高さの平均が、約28mmよりも大きく、ヒール側境界線から該打球中心線までのマッスル部分のヒールの高さの平均が、約19mm未満である、請求項3に記載のブレードタイプのアイアンゴルフクラブ。
【請求項６】
トウ側境界線での高さが、約26mmよりも大きく、ヒール側境界線での高さが、約14mm未満である、請求項3に記載のブレードタイプのアイアンゴルフクラブ。
【請求項７】
トウ側境界線での高さが、約30mmよりも大きく、ヒール側境界線での高さが、約16mm未満である、請求項3に記載のブレードタイプのアイアンゴルフクラブ。
【請求項８】
トウ側境界線での高さが、約36mmよりも大きく、ヒール側境界線での高さが、約18mm未満である、請求項3に記載のブレードタイプのアイアンゴルフクラブ。
【請求項９】
インターフェース角が、約105度〜155度である、請求項1に記載のブレードタイプのアイアンゴルフクラブヘッド。
【請求項１０】
インターフェース角が、約115度〜135度である、請求項1に記載のブレードタイプのアイアンゴルフクラブヘッド。
【請求項１１】
5〜7mmの幅を有する上面、13〜16mmの幅を有するソール、ヒール、およびトウと;
ヒール側境界線、トウ側境界線、および該ヒール側境界線と該トウ側境界線から等距離に位置する打球中心線を画定する打球区域を有する打球サーフェスであって、前縁が、該ソールおよび該打球面を接続する最前面として定義される、打球サーフェスと;
該打球サーフェスとは反対側のリヤサーフェスであって、上ブレード部分および下マッスル部分を有し、該上ブレード部分が、ブレードインターフェースによって該下マッスル部分から隔てられ、該ブレードインターフェースが、第一のブレードインターフェースと、収束点で該第一のブレードインターフェースと交わる第二のブレードインターフェースとを含み、該第一のブレードインターフェースが該ヒールから該収束点まで延び、該第二のブレードインターフェースが該収束点から該トウまで延び、さらに該上ブレード部分および該下マッスル部分が該ヒールから該トウまで該リヤサーフェスを横切って延び、さらに該上ブレード部分が該上面から該ブレードインターフェースまで延び、該下マッスル部分が該ブレードインターフェースから該前縁まで延びる、リヤサーフェスと
を含み、
該第一のブレードインターフェースおよび該第二のブレードインターフェースが、該収束点で鈍角を形成する、アイアンタイプのゴルフクラブヘッド。
【請求項１２】
上ブレード部分が、約6mm〜8mmの、ヒールからトウまで概ね均一の厚さを有し、下マッスル部分が、該上ブレード部分の厚さよりも大きい厚さを有し、該下マッスル部分の厚さが、約10mm〜16mmである、請求項11に記載のアイアンタイプのゴルフクラブヘッド。
【請求項１３】
下マッスル部分が、ブレードインターフェースから前縁まで測定された高さを有し、打球中心線からトウ側境界線までの下マッスル部分のトウの高さの平均が、ヒール側境界線から該打球中心線までの下マッスル部分のヒールの高さの平均よりも少なくとも50％大きい、請求項11に記載のアイアンタイプのゴルフクラブヘッド。
【請求項１４】
打球中心線からトウ側境界線までの下マッスル部分のトウの高さの平均が、約21mmよりも大きく、ヒール側境界線から該打球中心線までの下マッスル部分のヒールの高さの平均が、約14mm未満である、請求項13に記載のアイアンタイプのゴルフクラブヘッド。
【請求項１５】
打球中心線からトウ側境界線までの下マッスル部分のトウの高さの平均が、約23mmよりも大きく、ヒール側境界線から該打球中心線までの下マッスル部分のヒールの高さの平均が、約16mm未満である、請求項13に記載のアイアンタイプのゴルフクラブヘッド。
【請求項１６】
打球中心線からトウ側境界線までの下マッスル部分のトウの高さの平均が、約28mmよりも大きく、ヒール側境界線から該打球中心線までの下マッスル部分のヒールの高さの平均が、約19mm未満である、請求項13に記載のアイアンタイプのゴルフクラブヘッド。
【請求項１７】
トウ側境界線での高さが、約30mmよりも大きく、ヒール側境界線での高さが、約16mm未満である、請求項11に記載のアイアンタイプのゴルフクラブヘッド。
【請求項１８】
ブレードインターフェースが、上ブレード部分と下マッスル部分との間の移行区域を形成する滑らかな弓状面である、請求項11に記載のアイアンタイプのゴルフクラブヘッド。
【請求項１９】
収束点が、ほぼ打球中心線に沿って位置する、請求項11に記載のアイアンタイプのゴルフクラブヘッド。
【請求項２０】
第二のブレードインターフェースが、約105度〜155度のインターフェース角で上方に延びる、請求項11に記載のアイアンタイプのゴルフクラブヘッド。
【請求項２１】
第二のブレードインターフェースが、約115度〜135度のインターフェース角で上方に延びる、請求項11に記載のアイアンタイプのゴルフクラブヘッド。
【請求項２２】
金属材料から鍛造されたボディを含むブレードタイプのゴルフクラブヘッドであって、該ボディが、ホーゼル、上面、ソール、ヒールおよびトウを有し、該ブレードタイプのゴルフクラブヘッドが打球サーフェスをさらに含み、該打球サーフェスが、ヒール側境界線、トウ側境界線、および該ヒール側境界線と該トウ側境界線から等距離に位置する打球中心線を画定し、該クラブヘッドが該打球サーフェスとは反対側のリヤサーフェスをさらに含み、該リヤサーフェスが上ブレード部分および下マッスル部分を有し、該上ブレード部分がブレードインターフェースによって該下マッスル部分から隔てられ、該ブレードインターフェースが、第一のブレードインターフェースと、収束点で該第一のブレードインターフェースと交わる第二のブレードインターフェースとを含み、該第二のブレードインターフェースが、約105度〜155度のインターフェース角で上方に延び、該インターフェース角が、該収束点から、該第一のブレードインターフェースと該第二のブレードインターフェースとの間にあり、該上ブレード部分および該下マッスル部分が、該ヒールから該トウまで、該リヤサーフェスを横切って延び、さらに該上ブレード部分が、該上面から該ブレードインターフェースまで延び、該下マッスル部分が、該ブレードインターフェースから該ソールまで延び、該上ブレード部分が、該ヒールから該トウまで概ね均一の厚さを有し、該下マッスル部分が、該上ブレード部分の厚さよりも大きい厚さを有する、ブレードタイプのゴルフクラブヘッドと、
該ホーゼルで該ヘッドに取り付けられるシャフトと
を含む、ブレードタイプのアイアンゴルフクラブ。
【請求項２３】
打球中心線からトウ側境界線までの下マッスル部分のトウの高さの平均が、約28mmよりも大きく、ヒール側境界線から該打球中心線までの下マッスル部分のヒールの高さの平均が、約19mm未満である、請求項22に記載のブレードタイプのアイアンゴルフクラブ。
【請求項２４】
ブレードインターフェースが、上ブレード部分と下マッスル部分との間の移行区域を形成する滑らかな弓状面である、請求項22に記載のブレードタイプのアイアンゴルフクラブ。
【請求項２５】
第一のブレードインターフェースが、ヒールから収束点まで、ソールに概ね平行に延び、第二のブレードインターフェースが、該収束点からトウまで上方に延びる、請求項22に記載のブレードタイプのアイアンゴルフクラブ。
【請求項２６】
収束点が、ほぼ打球中心線に沿って位置する、請求項22に記載のブレードタイプのアイアンゴルフクラブ。
【請求項２７】
インターフェース角が、約105度〜155度である、請求項22に記載のブレードタイプのアイアンゴルフクラブ。
【請求項２８】
ヒール側境界線、トウ側境界線、および該ヒール側境界線と該トウ側境界線から等距離に位置する打球中心線を画定する打球区域を有する打球サーフェスと;
該打球サーフェスとは反対側のリヤサーフェスであって、別個の上ブレード部分および下マッスル部分を有し、該上ブレード部分が、ブレードインターフェースによって該下マッスル部分から隔てられ、該上ブレード部分および該下マッスル部分が該リヤサーフェスを横方向にわたって延び、さらに該上ブレード部分が上面から該ブレードインターフェースまで延び、該下マッスル部分が該ブレードインターフェースから下方に延びる、リヤサーフェスと
を含み、
該ブレードインターフェースが、第一のブレードインターフェースと、収束点で該第一のブレードインターフェースと交わる第二のブレードインターフェースとを含み、該第一のブレードインターフェースがクラブヘッドのヒールから該収束点まで延び、該第二のブレードインターフェースが該収束点から該クラブヘッドのトウまで延び、該収束点がほぼ該打球中心線に沿って位置し、該第二のブレードインターフェースが、約105度〜155度のインターフェース角で、該クラブヘッドの該トウまで延びる、ブレードタイプのアイアンゴルフクラブヘッド。
【請求項２９】
上ブレード部分が、約6mm〜8mmの、概ね均一の厚さを有し、下マッスル部分が、該上ブレード部分の厚さよりも大きい厚さを有し、該下マッスル部分の厚さが、約8mm〜16mmである、請求項28に記載のブレードタイプのアイアンゴルフクラブヘッド。
【請求項３０】
打球中心線からトウ側境界線までの下マッスル部分の高さの平均が、ヒール側境界線から該打球中心線までの下マッスル部分の高さの平均よりも少なくとも50％大きい、請求項28に記載のブレードタイプのアイアンゴルフクラブヘッド。
【請求項３１】
下マッスル部分が、ブレードインターフェースから前縁まで測定された高さを有し、トウ側境界線での高さが、約26mmよりも大きく、ヒール側境界線での高さが、約14mm未満である、請求項28に記載のブレードタイプのアイアンゴルフクラブヘッド。
【発明の詳細な説明】
【技術分野】
【０００１】
本願は、2013年12月31日に出願された米国仮特許出願第61/922,756号の優先権を主張する、2014年5月22日に出願された米国非仮特許出願第14/284,968号の継続出願であり、これらは参照によりその全体が本明細書に組み入れられる。
【０００２】
本発明は、概して、ゴルフクラブおよびゴルフクラブヘッドに関し、より詳細には、マッスルバックまたはブレードのアイアンゴルフクラブおよびゴルフクラブヘッドに関する。
【背景技術】
【０００３】
ゴルフクラブは、ゴルフのゲームでの使用に関して、当技術分野において周知である。アイアンタイプのゴルフクラブは、概して、キャビティバック構成またはマッスルバックもしくはブレードタイプ構成のいずれかを有する。アマチュアゴルファーは、概して、キャビティバック外周加重クラブを好むが、それは、フェースの中心近くで打たれなくてもこれらのクラブがより良いショットを生み出すからである。ブレードタイプのアイアンは、概して、プロゴルファーおよびより高い技能レベルのゴルファーによって好まれるが、それは、ゴルフボールがフェースの中心で打たれたときにはより良い感触を、かつフェースの中心で打たれなかったときにはより大きなフィードバックを、これらのクラブが提供するからである。ブレードアイアンはまた、ゴルファーが異なる種類のスピンをボールに加えることによって、より容易にショットを形作ることを可能にするが、一方でキャビティバックは、ショットを形作る能力を最小限にする。
【０００４】
外周加重アイアンとしても公知の、キャビティバックアイアンタイプのクラブヘッドは、クラブヘッドのリヤサーフェスの周縁辺りに質量の集中を有すると知られている。この質量の集中部は、クラブヘッドのリヤサーフェスの主要部分を含むリアキャビティを実質的に取り囲む、隆起したリブ様外周加重用要素内にある。質量の相当量をクラブフェースの後ろのクラブヘッドの中心から離れるように位置することに加えて、リブ様外周加重用要素は、キャビティ領域におけるフェース厚さの減少を相殺する、構造的補剛材として作用する。
【０００５】
マッスルバックまたはブレードアイアンは、ヘッドの全長に沿って延びる「マッスル」として知られる厚い下部によって特徴付けられる。薄い上部は、マッスルから上方に、かつクラブのフェースの後ろで延び、ブレード部分として一般に呼ばれている。ブレード部分は、補強リブまたは外周加重を有しないこともあり、ソールおよびクラブヘッドの全長に沿って延びるクラブのマッスルにおいて集中された実質的な質量を有し得る。典型的には、マッスルバッククラブヘッドは、キャビティバックヘッドよりも小さい。
【０００６】
概して、マッスルバックまたはブレードアイアンは、フェースの中心位置から離れて、典型的にはフェースの中心位置のヒールおよびソール側に位置した、重心を有する。クラブヘッドの重心がフェース中心に近ければ近いほど、クラブは、フェースの中心位置上でゴルフボールを打つ場合のインパクト時に、良い感触があり、かつ良く機能することが一般に理解されている。
【０００７】
本発明は、公知のマッスルバックまたはブレードのアイアンゴルフクラブおよびゴルフクラブヘッドのこれらの限定および他の欠点を克服しようとするものである。
【発明の概要】
【０００８】
以下は、本発明およびその種々の特徴の基本的な理解を提供するために、本発明の局面の全般的概要を示す。この概要は、本発明の範囲を限定することを意図したものでは一切なく、単に、次に続く、より詳細な説明のための全般的概観および背景を提供するものである。
【０００９】
本発明の局面にしたがって、アイアンタイプのゴルフクラブヘッドは、上面、ソール、ヒールおよびトウを含み得る。アイアンタイプのゴルフクラブヘッドは、8mm以下の幅を有する上面および16mm以下の幅を有するソールでさらに画定される、ブレードタイプのアイアンゴルフクラブヘッドであり得る。アイアンタイプのゴルフクラブヘッドは、ボールを打つように構成された打球サーフェスをさらに含み得る。アイアンタイプのゴルフクラブヘッドは、ソールと打球面とを接続する最前面として定義される前縁を含み得る。打球サーフェスは、ヒール側境界線、トウ側境界線、およびヒール側境界線とトウ側境界線から等距離に位置する打球中心線を画定する打球区域を有し得る。アイアンタイプのゴルフクラブヘッドは、打球サーフェスとは反対側のリヤサーフェスをさらに含み得る。リヤサーフェスは、別個の上ブレード部分および下マッスル部分を有し得る。上ブレード部分は、ブレードインターフェースによって下マッスル部分から隔てられ得る。上ブレード部分および下マッスル部分は、ヒールからトウまでリヤサーフェスを横切って延び得る。上ブレード部分は、上面からブレードインターフェースまで延び得る。下マッスル部分は、ブレードインターフェースからソールまで延び得る。加えて、上ブレード部分は、ヒールからトウまで、約6mm〜8mmである概ね均一の厚さを有し得る。下マッスル部分は、上ブレード部分の厚さよりも大きい厚さを有し得る。下マッスル部分の厚さは、約8mm〜16mmであり得る。下マッスル部分は、ブレードインターフェースから前縁までを測定した高さを有し得る。加えて、打球中心線からトウ側境界線までの下マッスル部分の高さの平均は、ヒール側境界線から打球中心線までの下マッスル部分の高さの平均より、少なくとも50％大きくてもよい。
【００１０】
加えて、本発明の別の局面は、ブレードインターフェースに関し得る。ブレードインターフェースは、上ブレード部分と下マッスル部分との間の移行区域を形成する、滑らかな弓状面であり得る。加えて、ブレードインターフェースは、第一のブレードインターフェースと、収束点で第一のブレードインターフェースと交わる第二のブレードインターフェースとを含み得る。第一のブレードインターフェースは、前縁に概ね平行であり、ヒールから収束点まで延び得る。第二のブレードインターフェースは、収束点からトウまで上方に延び得る。収束点は、打球中心線にほぼ沿って位置し得る。第二のブレードインターフェースは、約105度〜155度のインターフェース角で上方に延び得る。
【００１１】
加えて、本発明の別の局面は、本発明の例にしたがうブレードタイプのアイアンゴルフクラブに関し得る。ブレードタイプのアイアンゴルフクラブは、ブレードタイプのゴルフクラブヘッドおよびブレードタイプのゴルフクラブヘッドに取り付けられたシャフトを含み得る。ブレードタイプのゴルフクラブヘッドは、金属材料から鍛造されたボディを含み得る。ボディは、ホーゼル、上面、ソール、ヒールおよびトウを含み得る。ブレードタイプのゴルフクラブヘッドは、ボールを打つように構成された打球サーフェスをさらに含み得る。アイアンタイプのゴルフクラブヘッドは、ソールと打球面とを接続する最前面として定義される前縁を含み得る。打球サーフェスは、ヒール側境界線、トウ側境界線、およびヒール側境界線とトウ側境界線から等距離に位置する打球中心線を画定し得る。クラブヘッドは、打球サーフェスとは反対側のリヤサーフェスをさらに含み得る。リヤサーフェスは、上ブレード部分および下マッスル部分を有し得、上ブレード部分は、ブレードインターフェースによって下マッスル部分から隔てられる。上ブレード部分および下マッスル部分は、ヒールからトウまでリヤサーフェスを横切って延び得る。上ブレード部分は、上面からブレードインターフェースまで延び得る。下マッスル部分は、ブレードインターフェースからソールまで延び得る。上ブレード部分は、ヒールからトウまで概ね均一の厚さを有し得る。下マッスル部分は、上ブレード部分の厚さよりも大きい厚さを有し得る。下マッスル部分は、ブレードインターフェースから前縁までを測定した高さを有し得る。トウ側境界線での高さは、約26mmより高くてもよく、ヒール側境界線での高さは、約14mm未満であり得る。別のクラブヘッドの態様において、トウ側境界線での高さは、約30mmより高くてもよく、ヒール側境界線での高さは、約16mm未満であり得る。さらに別のクラブヘッドの態様において、トウ側境界線での高さは、約36mmより高くてもよく、ヒール側境界線での高さは、約18mm未満であり得る。
【００１２】
本発明の追加の局面は、ブレードタイプのアイアンゴルフクラブヘッドに関する。ブレードタイプのゴルフクラブヘッドは、打球サーフェスおよび打球サーフェスとは反対側のリヤサーフェスを含み得る。打球サーフェスは、ボールを打つように構成され得る。打球サーフェスは、ヒール側境界線、トウ側境界線、およびヒール側境界線とトウ側境界線から等距離に位置する打球中心線を画定する打球区域を有し得る。リヤサーフェスは、別個の上ブレード部分および下マッスル部分を有し得る。上ブレード部分は、ブレードインターフェースによって下マッスル部分から隔てられ得る。上ブレード部分および下マッスル部分は、リヤサーフェスを横方向にわたって延び得る。上ブレード部分は、ブレードインターフェースから上方に延び得る。下マッスル部分は、ブレードインターフェースから下方に延び得る。上ブレード部分は、約6mm〜8mmの概ね均一の厚さを有し得る。下マッスル部分は、上ブレード部分の厚さよりも大きい厚さを有し得る。下マッスル部分の厚さは、約8mm〜16mmであり得る。下マッスル部分は、ヒール側境界線から打球中心線までの下マッスル部分の高さの平均よりも少なくとも50％大きい、打球中心線からトウ側境界線までの高さの平均を有し得る。追加的に、ブレードタイプのゴルフクラブヘッドは、ヒール側境界線から打球中心線までの間に位置する下マッスル部分のヒール表面積よりも2倍大きい、トウ側境界線から打球中心線までの間に位置する下マッスル部分のトウ表面積をさらに含み得る。
より詳細には、本発明は以下を提供する：
[1]  上面、ソール、ヒール、およびトウと；
打球区域を有する打球サーフェスと；
該打球サーフェスとは反対側のリヤサーフェスであって、別個のブレード部分およびマッスル部分を有し、該ブレード部分が、ブレードインターフェースによって該マッスル部分から隔てられ、該ブレード部分および該マッスル部分が該リヤサーフェスを横方向にわたって延び、さらに該ブレード部分が該上面から該ブレードインターフェースまで延び、該マッスル部分が該ブレードインターフェースから該ソールまで延びる、リヤサーフェスと
を含み、
該ブレードインターフェースが、第一のブレードインターフェースと、収束点で該第一のブレードインターフェースと交わる第二のブレードインターフェースとを含み、該第一のブレードインターフェースがクラブヘッドのヒールから該収束点まで延び、該第二のブレードインターフェースが該収束点から該クラブヘッドのトウまで延び、該第一のブレードインターフェースおよび該第二のブレードインターフェースが該収束点でインターフェース角を形成し、該インターフェース角が鈍角である、ブレードタイプのアイアンゴルフクラブヘッド；
[2]  ブレード部分が、約6mm〜8mmの、概ね均一の厚さを有し、マッスル部分が、該ブレード部分の厚さよりも大きい厚さを有し、該マッスル部分の厚さが、約8mm〜16mmである、[1]に記載のブレードタイプのアイアンゴルフクラブヘッド；
[3]  打球区域が、ヒール側境界線、トウ側境界線、および該ヒール側境界線と該トウ側境界線から等距離に位置する打球中心線を画定する、[1]に記載のブレードタイプのアイアンゴルフクラブヘッド；
[4]  打球中心線からトウ側境界線までのマッスル部分の高さの平均が、ヒール側境界線から該打球中心線までのマッスル部分の高さの平均よりも少なくとも50％大きい、[3]に記載のブレードタイプのアイアンゴルフクラブヘッド；
[5]  打球中心線からトウ側境界線までのマッスル部分のトウの高さの平均が、約28mmよりも大きく、ヒール側境界線から該打球中心線までのマッスル部分のヒールの高さの平均が、約19mm未満である、[3]に記載のブレードタイプのアイアンゴルフクラブ；
[6]  トウ側境界線での高さが、約26mmよりも大きく、ヒール側境界線での高さが、約14mm未満である、[3]に記載のブレードタイプのアイアンゴルフクラブ；
[7]  トウ側境界線での高さが、約30mmよりも大きく、ヒール側境界線での高さが、約16mm未満である、[3]に記載のブレードタイプのアイアンゴルフクラブ；
[8]  トウ側境界線での高さが、約36mmよりも大きく、ヒール側境界線での高さが、約18mm未満である、[3]に記載のブレードタイプのアイアンゴルフクラブ；
[9]  インターフェース角が、約105度〜155度である、[1]に記載のブレードタイプのアイアンゴルフクラブヘッド；
[10]  インターフェース角が、約115度〜135度である、[1]に記載のブレードタイプのアイアンゴルフクラブヘッド；
[11]  5〜7mmの幅を有する上面、13〜16mmの幅を有するソール、ヒール、およびトウと;
ヒール側境界線、トウ側境界線、および該ヒール側境界線と該トウ側境界線から等距離に位置する打球中心線を画定する打球区域を有する打球サーフェスであって、前縁が、該ソールおよび該打球面を接続する最前面として定義される、打球サーフェスと;
該打球サーフェスとは反対側のリヤサーフェスであって、上ブレード部分および下マッスル部分を有し、該上ブレード部分が、ブレードインターフェースによって該下マッスル部分から隔てられ、該ブレードインターフェースが、第一のブレードインターフェースと、収束点で該第一のブレードインターフェースと交わる第二のブレードインターフェースとを含み、該第一のブレードインターフェースが該ヒールから該収束点まで延び、該第二のブレードインターフェースが該収束点から該トウまで延び、さらに該上ブレード部分および該下マッスル部分が該ヒールから該トウまで該リヤサーフェスを横切って延び、さらに該上ブレード部分が該上面から該ブレードインターフェースまで延び、該下マッスル部分が該ブレードインターフェースから該前縁まで延びる、リヤサーフェスと
を含み、
該第一のブレードインターフェースおよび該第二のブレードインターフェースが、該収束点で鈍角を形成する、アイアンタイプのゴルフクラブヘッド；
[12]  上ブレード部分が、約6mm〜8mmの、ヒールからトウまで概ね均一の厚さを有し、下マッスル部分が、該上ブレード部分の厚さよりも大きい厚さを有し、該下マッスル部分の厚さが、約10mm〜16mmである、[11]に記載のアイアンタイプのゴルフクラブヘッド；
[13]  下マッスル部分が、ブレードインターフェースから前縁まで測定された高さを有し、打球中心線からトウ側境界線までの下マッスル部分のトウの高さの平均が、ヒール側境界線から該打球中心線までの下マッスル部分のヒールの高さの平均よりも少なくとも50％大きい、[11]に記載のアイアンタイプのゴルフクラブヘッド；
[14]  打球中心線からトウ側境界線までの下マッスル部分のトウの高さの平均が、約21mmよりも大きく、ヒール側境界線から該打球中心線までの下マッスル部分のヒールの高さの平均が、約14mm未満である、[13]に記載のアイアンタイプのゴルフクラブヘッド；
[15]  打球中心線からトウ側境界線までの下マッスル部分のトウの高さの平均が、約23mmよりも大きく、ヒール側境界線から該打球中心線までの下マッスル部分のヒールの高さの平均が、約16mm未満である、[13]に記載のアイアンタイプのゴルフクラブヘッド；
[16]  打球中心線からトウ側境界線までの下マッスル部分のトウの高さの平均が、約28mmよりも大きく、ヒール側境界線から該打球中心線までの下マッスル部分のヒールの高さの平均が、約19mm未満である、[13]に記載のアイアンタイプのゴルフクラブヘッド；
[17]  トウ側境界線での高さが、約30mmよりも大きく、ヒール側境界線での高さが、約16mm未満である、[11]に記載のアイアンタイプのゴルフクラブヘッド；
[18]  ブレードインターフェースが、上ブレード部分と下マッスル部分との間の移行区域を形成する滑らかな弓状面である、[11]に記載のアイアンタイプのゴルフクラブヘッド；
[19]  収束点が、ほぼ打球中心線に沿って位置する、[11]に記載のアイアンタイプのゴルフクラブヘッド；
[20]  第二のブレードインターフェースが、約105度〜155度のインターフェース角で上方に延びる、[11]に記載のアイアンタイプのゴルフクラブヘッド；
[21]  第二のブレードインターフェースが、約115度〜135度のインターフェース角で上方に延びる、[11]に記載のアイアンタイプのゴルフクラブヘッド；
[22]  金属材料から鍛造されたボディを含むブレードタイプのゴルフクラブヘッドであって、該ボディが、ホーゼル、上面、ソール、ヒールおよびトウを有し、該ブレードタイプのゴルフクラブヘッドが打球サーフェスをさらに含み、該打球サーフェスが、ヒール側境界線、トウ側境界線、および該ヒール側境界線と該トウ側境界線から等距離に位置する打球中心線を画定し、該クラブヘッドが該打球サーフェスとは反対側のリヤサーフェスをさらに含み、該リヤサーフェスが上ブレード部分および下マッスル部分を有し、該上ブレード部分がブレードインターフェースによって該下マッスル部分から隔てられ、該ブレードインターフェースが、第一のブレードインターフェースと、収束点で該第一のブレードインターフェースと交わる第二のブレードインターフェースとを含み、該第二のブレードインターフェースが、約105度〜155度のインターフェース角で上方に延び、該インターフェース角が、該収束点から、該第一のブレードインターフェースと該第二のブレードインターフェースとの間にあり、該上ブレード部分および該下マッスル部分が、該ヒールから該トウまで、該リヤサーフェスを横切って延び、さらに該上ブレード部分が、該上面から該ブレードインターフェースまで延び、該下マッスル部分が、該ブレードインターフェースから該ソールまで延び、該上ブレード部分が、該ヒールから該トウまで概ね均一の厚さを有し、該下マッスル部分が、該上ブレード部分の厚さよりも大きい厚さを有する、ブレードタイプのゴルフクラブヘッドと、
該ホーゼルで該ヘッドに取り付けられるシャフトと
を含む、ブレードタイプのアイアンゴルフクラブ；
[23]  打球中心線からトウ側境界線までの下マッスル部分のトウの高さの平均が、約28mmよりも大きく、ヒール側境界線から該打球中心線までの下マッスル部分のヒールの高さの平均が、約19mm未満である、[22]に記載のブレードタイプのアイアンゴルフクラブ；
[24]  ブレードインターフェースが、上ブレード部分と下マッスル部分との間の移行区域を形成する滑らかな弓状面である、[22]に記載のブレードタイプのアイアンゴルフクラブ；
[25]  第一のブレードインターフェースが、ヒールから収束点まで、ソールに概ね平行に延び、第二のブレードインターフェースが、該収束点からトウまで上方に延びる、[22]に記載のブレードタイプのアイアンゴルフクラブ；
[26]  収束点が、ほぼ打球中心線に沿って位置する、[22]に記載のブレードタイプのアイアンゴルフクラブ；
[27]  インターフェース角が、約105度〜155度である、[22]に記載のブレードタイプのアイアンゴルフクラブ；
[28]  ヒール側境界線、トウ側境界線、および該ヒール側境界線と該トウ側境界線から等距離に位置する打球中心線を画定する打球区域を有する打球サーフェスと;
該打球サーフェスとは反対側のリヤサーフェスであって、別個の上ブレード部分および下マッスル部分を有し、該上ブレード部分が、ブレードインターフェースによって該下マッスル部分から隔てられ、該上ブレード部分および該下マッスル部分が該リヤサーフェスを横方向にわたって延び、さらに該上ブレード部分が上面から該ブレードインターフェースまで延び、該下マッスル部分が該ブレードインターフェースから下方に延びる、リヤサーフェスと
を含み、
該ブレードインターフェースが、第一のブレードインターフェースと、収束点で該第一のブレードインターフェースと交わる第二のブレードインターフェースとを含み、該第一のブレードインターフェースがクラブヘッドのヒールから該収束点まで延び、該第二のブレードインターフェースが該収束点から該クラブヘッドのトウまで延び、該収束点がほぼ該打球中心線に沿って位置し、該第二のブレードインターフェースが、約105度〜155度のインターフェース角で、該クラブヘッドの該トウまで延びる、ブレードタイプのアイアンゴルフクラブヘッド；
[29]  上ブレード部分が、約6mm〜8mmの、概ね均一の厚さを有し、下マッスル部分が、該上ブレード部分の厚さよりも大きい厚さを有し、該下マッスル部分の厚さが、約8mm〜16mmである、[28]に記載のブレードタイプのアイアンゴルフクラブヘッド；
[30]  打球中心線からトウ側境界線までの下マッスル部分の高さの平均が、ヒール側境界線から該打球中心線までの下マッスル部分の高さの平均よりも少なくとも50％大きい、[28]に記載のブレードタイプのアイアンゴルフクラブヘッド；ならびに
[31]  下マッスル部分が、ブレードインターフェースから前縁まで測定された高さを有し、トウ側境界線での高さが、約26mmよりも大きく、ヒール側境界線での高さが、約14mm未満である、[28]に記載のブレードタイプのアイアンゴルフクラブヘッド。
【図面の簡単な説明】
【００１３】
本発明およびその特定の利点のより完全な理解は、添付の図面を考慮して以下の詳細な説明を参照することによってもたらされ得る。
【図１】概して、本発明にしたがう例示的ゴルフクラブの斜視図を示す。
【図２Ａ】概して、先行技術のゴルフクラブヘッドの後面斜視図を示す。
【図２Ｂ】概して、図2Aの先行技術のゴルフクラブヘッドの後面図を示す。
【図３】概して、本発明にしたがう例示的ゴルフクラブヘッドの種々の図ならびに種々の性能パラメーターおよび特性を示す。
【図４】概して、本発明にしたがう例示的ゴルフクラブヘッドの種々の図ならびに種々の性能パラメーターおよび特性を示す。
【図５】概して、本発明にしたがう例示的ゴルフクラブヘッドの種々の図ならびに種々の性能パラメーターおよび特性を示す。
【図６】概して、本発明にしたがう例示的ゴルフクラブヘッドの種々の図ならびに種々の性能パラメーターおよび特性を示す。
【図７】概して、本発明にしたがう例示的ゴルフクラブヘッドの種々の図ならびに種々の性能パラメーターおよび特性を示す。
【図８】本発明にしたがうゴルフクラブヘッドの正面斜視図を示す。
【図９】本発明にしたがう図8に示されたゴルフクラブヘッドの後面斜視図を示す。
【図１０】本発明にしたがう図8に示されたゴルフクラブヘッドの正面図を示す。
【図１１】本発明にしたがう図8に示されたゴルフクラブヘッドの後面図を示す。
【図１２】本発明にしたがう図8に示されたゴルフクラブヘッドの上面図を示す。
【図１３】本発明にしたがう図8に示されたゴルフクラブヘッドの底面図を示す。
【図１４】本発明にしたがう図8に示されたゴルフクラブヘッドの側面図（トウ側の）を示す。
【図１５】本発明にしたがう図8に示されたゴルフクラブヘッドの別の側面図（ヒール側の）を示す。
【図１６】図16A〜Cは、本発明にしたがう図8に示されたゴルフクラブヘッドの線L1、L3、およびL2にそれぞれ沿った断面図を示す。
【図１７】本発明にしたがう別のゴルフクラブヘッドの後面斜視図を示す。
【図１８】本発明にしたがう図17に示されたゴルフクラブヘッドの後面図を示す。
【００１４】
読者は、添付の図面は必ずしも一定の縮尺で描かれていないことを認識されたい。
【発明を実施するための形態】
【００１５】
詳細な説明
本発明にしたがう種々の例示的構造の以下の説明において、本明細書の一部を形成する添付の図面が参照され、そこでは例証として本発明にしたがう種々の例示的調節部材、ゴルフクラブヘッドおよびゴルフクラブ構造が示されている。追加的に、部品および構造の他の特定の配置が利用され得、構造的および機能的変更が、本発明の範囲から逸脱することなく、なされ得ることが理解されるべきである。また、用語「上」、「底」、「前」、「背」、「後」、「側」、「下側」、「頭上」などが、本発明の種々の例示的特徴および要素を説明するために、本明細書において使用され得るが、これらの用語は、例えば、図に示された例示的向きおよび／または典型的な使用における向きに基づいて、本明細書において便宜上使用されるものである。本明細書において、本発明の範囲内に含まれるために、構造の特定の三次元または空間的な方向付けが必要であると何らも解釈されるべきではない。
【００１６】
A. マッスルバックまたはブレードタイプのアイアンクラブおよびクラブヘッドの全般的説明
概して、本発明の局面は、ブレードタイプのゴルフクラブヘッドを有する、ゴルフクラブのセット、ゴルフクラブまたはゴルフクラブヘッドに関する。図1は、本発明の局面にしたがう例示的なブレードタイプのゴルフクラブヘッドを示す。ブレードタイプのゴルフクラブヘッドは、1つまたは複数の後部キャビティを含有する外周加重クラブと違って、リヤサーフェス内に一切のキャビティまたは凹部を含有しない。図2Aおよび図2Bは、従来のマッスルバックまたはブレードタイプアイアン構成を有して示された先行技術のゴルフクラブヘッドを示す。図2Aおよび図2Bにおけるアイアンクラブヘッド1102は、フェースまたは打面1110、上面1112、ソール1114、ヒール1116、トウ1118、および上述のリヤサーフェス1120を含む。リヤサーフェス1120は、クラブヘッドのブレード部分1210を画定する実質的に平坦な区域、およびクラブヘッド1102のマッスル部分1220を画定する丸みをおびた区域を含む。ブレード部分1210は、概して、クラブヘッド1102の上部全体を占め、例えば約6mm未満であり得る実質的に一定の厚さを有する。マッスル部分1220は、概して、クラブヘッド1102の下部を構成し、いずれの場所においてもブレード部分1210の厚さよりも大きい様々な厚さを有する。
【００１７】
マッスル部分1220は、概して、極細線で表されたブレードインターフェース1202によって上ブレード部分1210から隔てられてもよい。ブレードインターフェース1202は、上ブレード部分1210とマッスル部分1220との間の移行区域を形成する滑らかな弓状面であってもよい。マッスル部分1220および上ブレード部分1210を隔てる明確な境界がない場合、マッスル部分1220と上ブレード部分1210との間の移行は、緩やかな表面湾曲によって生じ得る。図2Aおよび図2Bに示されるように、ブレードインターフェース1202は、ヒール1116からトウ1118までクラブヘッド1102のリヤサーフェス1120を横切って延びる直線である。
【００１８】
追加的に、他の特徴および特性は、ブレードタイプまたはマッスルバックのアイアンクラブヘッドで確認され得る。ブレードタイプまたはマッスルバックのアイアンクラブヘッドは、ゴルファーに提供される感触を増すために、炭素鋼のような鍛造された金属から形成され得る。追加的に、ブレードタイプまたはマッスルバックのアイアンクラブヘッドのソール幅は、概して薄く、かつソールの長さに沿って一定であり得る。例えば、ブレードタイプまたはマッスルバックのアイアンクラブヘッドのためのソール幅は、幅約10mm〜19mmであり得る。追加的に、上面の幅またはブレード幅（トップライン幅としても知られる）は、概して、上面の長さに沿って一定であり得る。例えば、ブレードタイプまたはマッスルバックのアイアンクラブヘッドのための上面の幅は、幅約3.2mm〜6.4mmであり得る。追加的に、ブレードタイプまたはマッスルバックのアイアンクラブヘッドのホーゼルの長さは、ホーゼルの中心での軸が地面124と交わる原点132Aから、ホーゼル126の上端での中心まで測定された長さで約60mm〜90mmであり得る。概して、ブレードタイプまたはマッスルバックのアイアンクラブヘッド上のトップラインは、薄く、設定されている。例えば、基準位置からの上面図、すなわちクラブヘッドを見下ろすゴルファーは、薄い上面112および打面110しか見ることができず、リヤサーフェス120は全く目に見えない。
【００１９】
B. 本発明の例にしたがうマッスルバックまたはブレードタイプのアイアンクラブおよびクラブヘッドの説明
図1は、本発明の少なくとも幾つかの例にしたがう例示的マッスルバックまたはブレードのアイアンゴルフクラブ100をおおまかに示す。このクラブ100は、クラブヘッド102、シャフト106（以下でより詳細に記載される）、およびシャフト106に係合されたグリップ部材103を含む。低ロフトのアイアンゴルフクラブヘッド102がこれらの図面に示されているが、本発明の局面は、例えば、低、中および高ロフトのクラブヘッド（任意の所望のロフトの、例えば、20〜64度の範囲であるロフト角を有する1番アイアン、2番アイアン、3番アイアンなど〜9番アイアンおよびウェッジ）を含む任意のタイプのアイアンクラブヘッドに適用され得る。アイアンクラブヘッドは、任意で（必要ならば、例えば、寸法、形状、構造の包含などにおいて）以下でより詳細に記載される本発明の局面に必要とされるように変更される、当技術分野において公知であるようなかつ／または使用されるような、従来の材料から、従来の構成で、従来の方法で、を含む、任意の所望の材料から、任意の所望の構成で、および／または任意の所望の方法で、作製され得る。
【００２０】
任意の所望の材料はまた、シャフト106に使用され得、鋼鉄、グラファイトベースの材料、ポリマー、複合材料、これらの材料の組合せなどのような当技術分野において公知である、かつ／または使用される従来の材料を含む。任意で、必要または所望ならば、シャフト106は、解放可能なクラブヘッド／シャフト接続部分を収容するために変更され得る（例えば、寸法、形状などにおいて）。グリップ部材103は、当技術分野において公知である、かつ／または使用される従来の方法で（例えば、セメントまたは接着剤による、機械的接続部による、など）を含む、任意の所望の方法で、シャフト106に係合され得る。任意の所望の材料は、グリップ部材103に使用され得、ゴム、ポリマー材料、コルク、コードもしくは他のファブリック要素が内部に埋め込まれた状態のゴムまたはポリマー材料、布または織物、テープなどのような、当技術分野において公知である、かつ／または使用される従来の材料を含む。
【００２１】
概して、全てのアイアンクラブヘッド102は、種々の部分を含む。図3は、本出願の残り全体にわたって参照されるように（ゴルフのUSGAルールから引用されるとおりの）ゴルフクラブヘッド102の種々の部分を示す。アイアンクラブヘッド102は、フェースまたは打面110、上面112、ソール114、ヒール116、トウ118およびリヤサーフェス120を有する。上面112は、ヘッド102の上部として定義され得る。ソール114は、ヘッド102の底部分または下側部分として定義され得、概して上面112とは反対側にある。ソール114は、ゴルファーがゴルフクラブ100を地面につけて打つ構えをするとき、地面上に置かれるクラブヘッド102上の区域を含み得る。ソール114は、概して、地面124上に置かれ得、ここで、地面124は、クラブヘッド102の底部と接する水平面である。ヒール116は、ホーゼル126により近く、かつホーゼル126を含む、クラブヘッド102の部分であり得る。トウ118は、シャフト106から最も遠い、ゴルフクラブ100の区域であり得る。クラブヘッド102のリヤサーフェス120は、概して、フェース110とは反対側にある。シャフト106は、ヒール116でホーゼル126によってヘッド102に取り付けられる。シャフト106は、中心軸を有する。ホーゼル126は、シャフト106を受け入れるための穴、またはシャフトアダプター（図示せず）を有し得る。ホーゼル穴は、中心軸またはホーゼル軸128を有する。シャフト106が、ホーゼル穴に挿入されて、直接取り付けられる場合、ホーゼル軸128は、シャフト軸と実質的に一致し得る。シャフトアダプターを含むクラブ構成については、シャフト106は、シャフトアダプター穴内に受け入れられ得る。シャフトアダプター穴は、シャフト軸と実質的に一致し得る、中心軸またはシャフトアダプター軸を有し得る。シャフトアダプター軸は、当業者によって公知であるように、シャフトアダプターのクラブヘッド102に対する回転によってクラブのパラメーター調節を可能にするよう、角度的および／または直線的にホーゼル軸128からずれていてもよい。
【００２２】
本発明の局面にしたがい、ゴルフクラブ100は、基準位置において方向付けされてもよい。基準位置において、ゴルフクラブ100は、フェース中心位置、ロフト角、フェース角、ライ角および重心位置を非限定的に含み得る、多数のパラメーターまたは特性を含み得る。パラメーターまたは特性、ならびにそれらを測定するための方法および手順は、以下に記載され、詳述される。
【００２３】
図3に示されるように、ライ角130は、シャフト軸またはホーゼル軸128と、ソール114に接触する水平面との間に形成される角度として定義され、この水平面は、フェース上のスコアラインが地面124と平行になるようにアイアンが配置された場合には地面124であり得る。
【００２４】
図4は、固定されたクラブヘッド102上のフェース中心位置140を示す。フェース中心140は、全米ゴルフ協会（USGA）標準測定手順および方法を使用して決定される。例えば、現行のUSGA手順では、クラブヘッド102のフェース110の粗面区域の縁からの、ヒール116測定値およびトウ118測定値が等しくなるまで、クラブフェース110に沿う水平線142に沿った、中心点を見出すことが必要とされる。フェース中心点を見出した後、フェース中心面144は、中心点を通る鉛直面として定義される。次に、クラブヘッド102のフェース110の縁での上部112測定値およびソール114測定値も等しい場合、フェース中心面144上の中心点が、クラブフェース110に沿って見出される。ヒール116測定値およびトウ118測定値が等しく、かつ上部112測定値およびソール114測定値が等しいとき、これらのラインの交点は、フェース中心位置140として定義される。アイアンについては、ヒールおよびトウ測定は、フェースの粗面区域の縁でなされる。
【００２５】
図5は、ゴルフクラブヘッド102のロフト角150および前縁122の例を示す。図5に示されるように、フェース中心軸154に対して直角をなす、すなわち垂直な軸152と、地面124に対して直角をなす、すなわち垂直な軸156との間での測定値として、ロフト角150が定義される。フェース中心軸154は、フェース中心140からの、フェースに対して直角をなす軸として定義される。追加的に、ロフト角150は、フェース中心軸154と地面124との間の測定値として定義され得る。これらのロフト角150の定義の各々は、類似または全く同じロフト角の測定値をもたらし得ることが認められる。前縁122は、ソール114および打面110を接続する最前面である。前縁122は、一定半径であり得るか、またはゴルフクラブヘッドのヒールからトウに沿って変化する曲率を有し得る。
【００２６】
原点132は、ゴルフクラブ100またはゴルフクラブヘッド102上に定められ得るか、またはクラブまたはヘッドの特定の要素に関連して定められた点であり得る。種々の他の点、例えば重心、ソール接点およびフェース中心は、原点132に関連して説明され得る、かつ／または測定され得る。図3は、原点132が位置し得る場所の異なる2つの例を示す。地表原点132Aとして定義される、第一の位置132Aは、概して、地面124に位置する。地表原点132Aは、地面124およびホーゼル軸128が交わる点として定義される。ホーゼル原点132Bとして定義される、第二の位置132Bは、概して、ホーゼル126上に位置する。ホーゼル原点132Bは、ホーゼル軸128上に位置し、かつホーゼル126の最上縁126Bと一致する。原点132についてのいずれの位置も、本発明から逸脱することなく利用され得る。追加的に、原点132についての他の位置は、本発明から逸脱することなく利用され得る。本願の残り全体にわたって、地表原点132Aは、全ての基準位置、許容差および計算について利用されるだろう。
【００２７】
図3に示されるように、第一座標系は、原点132A上に画定され得、例えば、原点132Aは、地面124に平行でありかつゴルフクラブヘッド102の前縁122に概ね平行であるX軸135と、X軸135に垂直でありかつゴルフクラブ120のリヤサーフェスから離れるように方向付けられたY軸137と、地面124に垂直なZ軸133とを有する。
【００２８】
追加的に、図4に示されるように、第二座標系は、原点132B上に、例えば、シャフト軸107（および／またはホーゼル軸128）の方向に沿って延びるZ'軸134と、鉛直面と平行でかつZ'軸に対して直角をなすX'軸136と、X'軸およびZ'軸に対して直角をなすY'軸138と共に、画定され得る。
【００２９】
図6は、ゴルフクラブヘッド102のフェース角160の例を示す。図6に示されるように、フェース角160は、フェース中心軸154および直角面162（X軸135に垂直な面）を利用することによって測定される。
【００３０】
図7Aおよび図7Bは、ゴルフクラブヘッド102の特定パラメーターとしての重心位置170の例を示す。ゴルフクラブヘッド102の重心は、当技術分野において公知であり、かつ使用される種々の方法および手順を使用して決定され得る。ゴルフクラブヘッド102の重心位置170は、原点132Aからのその位置を基準にして提供される。図7Aおよび図7Bに示されるように、重心位置170は、CGX 171と命名されたX軸135、CGY 173と命名されたY軸137、およびCGZ 175と命名されたZ軸133に沿う原点132Aからの距離によって定義される。ゴルフクラブヘッド102の重心170は、ホーゼル原点132Bからのその位置を基準にして提供され得る。図7Aおよび図7Bに示されるように、重心位置170はまた、ΔX 172と命名されたX'軸136、ΔY 174と命名されたY'軸138、およびΔZ 176と命名されたZ'軸134に沿うホーゼル原点132Bからの距離によって定義され得る。
【００３１】
慣性モーメントは、クラブヘッド特性であり、その重要性は、当業者に周知である。本願が参照し得る3つの慣性モーメント特性がある。図7AがMOI x-xを示しているように、それは、原点座標系のX軸135に平行な軸周りのクラブヘッドの重心を通る軸の慣性モーメントである。同様に、MOI z-zは、図4に示されるように、Z軸133に平行な軸周りの重心を通る軸の慣性モーメントである。最後に、MOI h-hは、図7Aに示されるように、シャフト軸またはZ'軸134周りの慣性モーメントである。MOI h-hは、クラブヘッドがどのように、スイングの間、クラブフェースをクローズにするゴルファーの能力に耐え得るかを調べる際に重要である。
【００３２】
追加的に、図4および図5は、フェース中心位置140が地表原点132Aおよび地面座標系から画定され得、ここでCFX 141はX軸135に沿った原点132Aからの距離であり、CFY 143はY軸137に沿った距離であり、CFZ 145はZ軸133に沿った距離であることを示す。また、ゴルフクラブヘッドのヘッドの長さ147は、原点132AからX軸135に沿ってゴルフクラブヘッド102のトウ118の最も遠い範囲まで測定したとおりに画定されることができる。
【００３３】
図3〜図7Bは、基準位置において方向付けられたゴルフクラブヘッド102を示す。基準位置において、ホーゼル軸128またはシャフト軸は、図5に示された鉛直面内にある。図3に示されるように、ホーゼル軸128は、ライ角130で方向付けられてもよい。基準位置に選択されたライ角は、ゴルフクラブ100製造業者の特定のライ角であり得る。特定のライ角が製造業者から入手可能でない場合、ライ角は、本明細書に記載された平行スコアライン法を使用して決定され得る。さらに基準位置について、図5に示されるように、打面110は、ロフト角150で方向付けられてもよい。基準位置に選択されたロフト角は、ゴルフクラブ製造業者の特定のロフト角であり得る。以下の表1は、本発明の態様にしたがう種々のブレードタイプのアイアンゴルフクラブヘッドについての典型的なロフトおよびライ角を提供するものである。
【００３４】
（表１）ブレードタイプのアイアンクラブヘッドについての例示的ロフトおよびライ角
2015144806.tif 000003
【００３５】
クラブヘッドパラメーターまたは特性は、物理的にまたはコンピューター支援設計（CAD）環境で測定され得る。概して、クラブヘッド102の3次元（3D）モデルは、容易に入手可能でない場合、クラブヘッド102の3Dスキャンを実施すること、ならびにスキャンデータおよび／または物理学的測定からモデルファイルを作り出すことによって、モデルが物理的なクラブヘッドを実質的に代表するように、作り出されてもよい。CAD環境において、クラブヘッド102のモデルは、基準位置において設定され得、フェース110は、モデルが完全に制約されるようにCAD環境内で製造業者のロフト、ライおよびフェース角で方向付けられる。
【００３６】
追加的に、ゴルフクラブ100は、当技術分野において公知であり、かつ使用される固定システムを使用して、基準位置において物理的に方向付けられてもよい。上記のように、シャフト軸は、ゴルフクラブ製造業者の仕様書にしたがうライ角で、または上記の手段で決定されるような適切なライ角で位置合わせされ得る。ゴルフクラブヘッド102は、水平面124と接触するそのソール114で置かれ、クラブフェース110は当業者に公知の従来のロフトおよびフェース角測定ゲージを使用して製造業者のフェース角および／またはロフト角で配置される。
【００３７】
本発明は、ブレードタイプまたはマッスルバックのアイアンクラブヘッドを提供する。図8〜図16Cは、本発明の局面にしたがうブレードタイプまたはマッスルバックのアイアンクラブヘッドを示す。図8は、ゴルフクラブヘッド102の正面斜視図を示す。図9は、ゴルフクラブヘッド102の後面斜視図を示す。図10は、ゴルフクラブヘッド102の正面図を示す。図11は、ゴルフクラブヘッド102の後面図を示す。図12は、ゴルフクラブヘッド102の上面図を示す。図13は、ゴルフクラブヘッド102の底面図を示す。図14は、ゴルフクラブヘッド102の側面図（トウ側の）を示す。図15は、ゴルフクラブヘッド102の別の側面図（ヒール側の）を示す。図16A〜図16Cは、それぞれゴルフクラブヘッド102の線L1、L3およびL2に沿った断面図を示す。
【００３８】
上記のとおり、クラブヘッド102は、フェースまたは打面110、上面112、ソール114、ヒール116、トウ118およびリヤサーフェス120を含む。リヤサーフェス120は、クラブヘッド102のブレード部分210を画定する実質的に平坦な区域、およびクラブヘッド102のマッスル部分220を画定する厚くなった区域を含む。ブレード部分210は、概して、クラブヘッド102の上部全体を占め、例えば約6mm未満であり得る実質的に一定の厚さを有する。マッスル部分220は、概して、クラブヘッド102の下部を構成し、いずれの場所においてもブレード部分210の厚さよりも大きい様々な厚さを有する。
【００３９】
打面110には、スコアライン、溝、またはインパクト時にゴルフボールをつかむクラブヘッドの能力を高める他の表面特徴もしくはテクスチャが提供され得る。グリップ向上区域または打球区域110Aは、概して、地面124に垂直なヒール側スコアライン（または他のグリップ向上表面特徴）境界L1（破線で図示）および地面124に垂直なトウ側スコアライン（または他のグリップ向上表面特徴）境界L2（破線で図示）によって、かつこれらのヒール側およびトウ側境界線L1、L2の間に延びる打面110の上面112およびソール114の外周縁の部分によって、画定され得る。したがって、打球区域110Aは、長さLS（境界L1と境界L2との間を延びる）および高さHS（上面112縁と前縁122との間を延びる）を有する。概して、この高さHSは、トウ方向に増大する。高さHSは、打球区域110Aの最もヒール側の範囲で最小であり、かつトウ方向のある点で最大であり得る。打球区域110Aの中心線L3は、打球区域110Aの長さLSに沿う中間で、中心フェース面144に沿って位置し得る。線L1、L2およびL3は、それぞれ図10および図16A〜図16Cに示されるように、厚さ方向断面図と関連し得る。したがって、リヤサーフェス120上の点は、線L1、L2および／またはL3を参照することによって定められ得る。
【００４０】
図9および図11に示されるように、マッスル部分220は、質量および材料を上面112およびトウ118に加え、質量および材料をソール114およびヒール116から除く。マッスル部分220のこの質量分配は、クラブヘッド102の重心170をフェース中心140位置のより近くに移動させる。最も従来的なブレードタイプのアイアンについては（図2Aおよび図2Bに示されるように）、重心170は、フェース中心位置140のヒールおよびソール側で、かつX軸方向にフェース中心面144位置から約2〜3mm離れて、位置する。傾斜したマッスル部分220を有する本発明の局面にしたがうクラブヘッド102について、重心170は、クラブヘッドのトウ側に向かって、約0.5〜1.0mm、フェース中心面144のより近くに移動する。これは、フェース中心面144に対する重心170の位置における約17％〜50％の変化であり、従来のブレードタイプのアイアンと比較して重心170を17〜50％、フェース中心140のより近くに移動させる。
【００４１】
図9および図11に示されるように、クラブヘッド102のマッスル部分220は、ヒールと比較してトウでより大きいか、またはより大きい高さを有する。マッスル部分220がヒールからトウへ延びるにつれて、マッスル部分220の面積および質量は増大する。ヒールからトウへ、リヤサーフェスを横切って延びるにつれて、マッスル部分220の高さは増大する。追加的に、マッスル部分220の高さは、概して、ほぼL2の位置でのクラブヘッド102のヒールからほぼL3の位置でのクラブヘッド102の中央までと比較して、ほぼL3の位置でのクラブヘッド102の中央からほぼL1の位置でのクラブヘッド102のトウまでにおいて、より大きい割合で増大する。
【００４２】
マッスル部分220は、上ブレード部分210から、ブレードインターフェース202によって隔てられ得る。ブレードインターフェース202は、上ブレード部分210とマッスル部分220との間の移行区域を形成する、滑らかな弓状面であり得る。ブレードインターフェース202は、ヒール116からトウ118までクラブヘッド102のリヤサーフェス120を横切って延び得る。本発明のある局面において、マッスル部分220および上ブレード部分210を隔てる明確な境界がなくてもよく、ここで、マッスル部分220と上ブレード部分210との間の移行は、緩やかな表面湾曲によって生じ得る。
【００４３】
図9および図11に示されるように、ブレードインターフェース202は、第一のブレードインターフェース202Aおよび第二のブレードインターフェース202Bを含む。第一のブレードインターフェース202Aおよび第二のブレードインターフェース202Bは、同じ直線に沿わない。第一のブレードインターフェース202Aおよび第二のブレードインターフェース202Bは、収束点204で交わる交線であり得る。収束点204は、打球区域110Aのフェース中心面144に沿うか、またはその近くに位置し得る。第一のブレードインターフェース202Aは、ヒール116から収束点204まで延び得る。第二のブレードインターフェース202Bは、収束点204からトウ118まで延び得る。第一のブレードインターフェース202Aは、概して、ソール114もしくは前縁122と、または地面124と平行に延び得る。次に、第二のブレードインターフェース202Bは、収束点から角度206でトウ118および上面112に向かって上方に延び得る。
【００４４】
角度206は、本発明の局面にしたがい、鈍角であり得る。例えば、角度206は、約125度であり得る。別の例示的態様において、角度206は、約105〜155度であり得る。収束点204は、X軸方向に地面原点132Aから収束点204へ、28〜34mmの場所に位置する。表2は、セット全体にわたるマッスル角部の位置およびマッスルの角度206の例示的態様を示す。
【００４５】
（表２）3番、6番および9番アイアンクラブヘッドについての例示的マッスル収束点の位置および角度寸法
2015144806.tif 000004
【００４６】
図16A、図16Bおよび図16Cに示されるように、クラブヘッド102は、3つの異なる高さ、マッスルの高さHM、ブレードの高さHBおよびフェースの高さHFを含み得る。図16A、図16Bおよび図16Cに示されるとおり、これらの高さの各々は、トウL1、ヒールL2またはフェース中心L3のような種々の断面でクラブヘッドを横切って画定され得るかまたは測定され得る。
【００４７】
図11、図16A、図16Bおよび図16Cに示されるように、下マッスル部分220は、マッスルの高さHMを含み得る。マッスルの高さHMは、前縁122から下マッスル表面220およびブレードインターフェース表面202の交わりの角部まで打面と平行に測定され得る。大抵のクラブは、角部で、鋭い縁ではなく小さいフィレット半径を有することになるので、半径の中心点まで測定されることになる。マッスル部分220のマッスルの高さHMは、クラブヘッド102のリヤサーフェス112にわたって様々であり得る。マッスルの高さHMXは、クラブヘッドを横切って画定され得るかまたは測定され得、ここで、Xは、適切な断面L1、L2またはL3に対応する。
【００４８】
例えば、L1またはトウの近くでの、3番アイアンまたは21度ロフトクラブヘッドのマッスルの高さHM1は、約28.2mmであり得る。L2またはヒールの近くでの、3番アイアンまたは21度ロフトクラブヘッドのマッスルの高さHM2は、約12.6mmであり得る。L3またはフェース中心140の近くでの、3番アイアンまたは21度ロフトクラブヘッドのマッスルの高さHM3220は、約15.2mmであり得る。追加的に、例えば、L1またはトウの近くでの、6番アイアンまたは31度ロフトクラブヘッドのマッスルの高さHM1は、約31.3mmであり得る。L2またはヒールの近くでの、6番アイアンまたは31度ロフトクラブヘッドのマッスルの高さHM2は、約14.2mmであり得る。L3またはフェース中心140の近くでの、6番アイアンまたは31度ロフトクラブヘッドのマッスルの高さHM3は、約16.4mmであり得る。追加的に、例えば、L1またはトウの近くでの、9番アイアンまたは43度ロフトクラブヘッドのマッスルの高さHM1は、約37.8mmであり得る。L2またはヒールの近くでの、9番アイアンまたは43度ロフトクラブヘッドのマッスルの高さHM2は、約16.5mmであり得る。L3またはフェース中心140の近くでの、9番アイアンまたは43度ロフトクラブヘッドのマッスルの高さHM3は、約20.1mmであり得る。これらの寸法は、以下、表3Aで、本発明の態様にしたがう例示的な3番、6番および9番アイアンまたは21度、31度、43度ロフトブレードタイプのクラブヘッドそれぞれについて、要約されている。
【００４９】
（表３Ａ）本発明にしたがう例示的な3番、6番および9番アイアンクラブヘッドについてのマッスルの高さHMの寸法の要約
2015144806.tif 000005
【００５０】
トウでのマッスルの高さHM1は、概して、ヒールでのマッスルの高さHM2よりも大きくてよい。例えば、マッスルの高さのトウ-ヒール率は、トウのマッスルの高さHM1／ヒールのマッスルの高さHM2の増加率、または（HM2-HM1）/HM1であり得る。例示的な3番アイアンゴルフクラブヘッドについては、マッスルの高さのトウ-ヒール率は、約123％であり得る。例示的な6番アイアンゴルフクラブヘッドについては、マッスルの高さのトウ-ヒール率は、約120％であり得る。例示的な9番アイアンゴルフクラブヘッドについては、マッスルの高さのトウ-ヒール率は、約128％であり得る。マッスルの高さのトウ-ヒール率は、75％〜150％の範囲であり得る。別の態様において、マッスルの高さのトウ-ヒール率は、150％を超え得る。
【００５１】
別の例において、マッスルの高さのトウ-ヒール比は、トウのマッスルの高さHM1／ヒールのマッスルの高さHM2の比、またはHM2/HM1であり得る。例示的な3番アイアンゴルフクラブヘッドについては、マッスルの高さのトウ-ヒール比は、約2.2であり得る。例示的な6番アイアンゴルフクラブヘッドについては、マッスルの高さのトウ-ヒール比は、約2.2であり得る。例示的な9番アイアンゴルフクラブヘッドについては、マッスルの高さのトウ-ヒール比は、約2.3であり得る。マッスルの高さのトウ-ヒール比は、1.5〜3の範囲であり得る。別の態様において、マッスルの高さのトウ-ヒール比は、3を超え得る。
【００５２】
図16A、図16Bおよび図16Cに示されるように、上ブレード部分210は、ブレードの高さHBを含み得る。ブレードの高さHBは、下マッスル表面220およびブレードインターフェース表面202の交わりの角部から上面112まで、打面と平行に測定され得る。大抵のクラブは、角部で、鋭い縁ではなく小さいフィレット半径を有することになるので、半径の中心点まで測定されることになる。ブレード部分210のブレードの高さHBは、クラブヘッド102のリヤサーフェス112にわたって様々であり得る。ブレードの高さHBXは、クラブヘッドを横切って画定され得るかまたは測定され得、ここで、Xは、適切な断面L1、L2またはL3に対応する。
【００５３】
例えば、L1またはトウの近くでの、3番アイアンまたは21度ロフトクラブヘッドのブレードの高さHB1は、約21.5mmであり得る。L2またはヒールの近くでの、3番アイアンまたは21度ロフトクラブヘッドのブレードの高さHB2は、約16.6mmであり得る。L3またはフェース中心140の近くでの、3番アイアンまたは21度ロフトクラブヘッドのブレードの高さHB3は、約25.8mmであり得る。追加的に、例えば、L1またはトウの近くでの、6番アイアンまたは31度ロフトクラブヘッドのブレードの高さHB1は、約20.4mmであり得る。L2またはヒールの近くでの、6番アイアンまたは31度ロフトクラブヘッドのブレードの高さHB2は、約16.6mmであり得る。L3またはフェース中心140の近くでの、6番アイアンまたは31度ロフトクラブヘッドのブレードの高さHB3は、約26.4mmであり得る。追加的に、例えば、L1またはトウの近くでの、9番アイアンまたは43度ロフトクラブヘッドのブレードの高さHB1は、約17.7mmであり得る。L2またはヒールの近くでの、9番アイアンまたは43度ロフトクラブヘッドのブレードの高さHB2は、約17.3mmであり得る。L3またはフェース中心140の近くでの、9番アイアンまたは43度ロフトクラブヘッドのブレードの高さHB3は、約28.8mmであり得る。これらの寸法は、以下、表3Bで、本発明の態様にしたがう例示的な3番、6番および9番アイアンまたは21度、31度、43度ロフトブレードタイプのクラブヘッドそれぞれについて要約されている。
【００５４】
（表３Ｂ）本発明にしたがう例示的な3番、6番および9番アイアンクラブヘッドについてのブレードの高さHBの寸法の要約
2015144806.tif 000006
【００５５】
図16A、図16Bおよび図16Cに示されるように、クラブヘッド102は、フェースの高さHFを含み得る。フェースの高さHFは、前縁122から上面112まで、ゴルフクラブヘッドのロフト面に平行に測定され得る。大抵のクラブは、角部で、鋭い縁ではなく小さなフィレット半径を有することになるので、半径の中心点まで測定されることになる。フェースの高さHFは、クラブヘッド102のリヤサーフェス112にわたって様々であり得る。フェースの高さHFXは、クラブヘッドを横切って画定され得るかまたは測定され得、ここで、Xは、適切な断面L1、L2またはL3に対応する。
【００５６】
例えば、L1またはトウの近くでの、3番アイアンまたは21度ロフトクラブヘッドのフェースの高さHF1は、約49.7mmであり得る。L2またはヒールの近くでの、3番アイアンまたは21度ロフトクラブヘッドのフェースの高さHF2は、約29.2mmであり得る。L3またはフェース中心140の近くでの、3番アイアンまたは21度ロフトクラブヘッドのフェースの高さHF3は、約41.0mmであり得る。追加的に、例えば、L1またはトウの近くでの、6番アイアンまたは31度ロフトクラブヘッドのフェースの高さHF1は、約51.7mmであり得る。L2またはヒールの近くでの、6番アイアンまたは31度ロフトクラブヘッドのフェースの高さHF2は、約30.8mmであり得る。L3またはフェース中心140の近くでの、6番アイアンまたは31度ロフトクラブヘッドのフェースの高さHF3は、約42.8mmであり得る。追加的に、例えば、L1またはトウの近くでの、9番アイアンまたは43度ロフトクラブヘッドのフェースの高さHF1は、約55.5mmであり得る。L2またはヒールの近くでの、9番アイアンまたは43度ロフトクラブヘッドのフェースの高さHF2は、約33.8mmであり得る。L3またはフェース中心140の近くでの、9番アイアンまたは43度ロフトクラブヘッドのフェースの高さHF3は、約48.9mmであり得る。これらの寸法は、以下、表3Cで、本発明の態様にしたがう例示的な3番、6番および9番アイアンまたは21度、31度、43度ロフトブレードタイプのクラブヘッドそれぞれについて、要約されている。
【００５７】
（表３Ｃ）本発明にしたがう例示的な3番、6番および9番アイアンクラブヘッドについてのフェースの高さHFの寸法の要約
2015144806.tif 000007
【００５８】
さらに、下マッスル部分220は、ヒールからトウにわたるマッスルの高さの平均HMAVG（ブレードインターフェース202から前縁122まで測定される）を有して画定され得る。追加的に、マッスル部分220は、ヒール側スコアラインL2とフェース中心スコアラインL3との間にわたるヒールマッスルの高さの平均HM（L2-L3）を有して画定され得る。追加的に、マッスル部分220は、フェース中心スコアラインL3とトウ側スコアラインL1との間にわたるトウマッスルの高さの平均HM（L3-L1）を有して画定され得る。マッスルの高さの平均の例示的寸法は、以下、表4Aで、本発明の態様にしたがう例示的な3番、6番および9番アイアンまたは21度、31度、43度ロフトブレードタイプのクラブヘッドそれぞれについて要約されている。
【００５９】
（表４Ａ）本発明にしたがう例示的な3番、6番および9番アイアンクラブヘッドについてのマッスルの高さの平均の要約
2015144806.tif 000008
【００６０】
追加的に、上ブレード部分210は、ブレードの高さの平均HBAVGを有して画定され得る。概して、ブレードの高さの平均HBAVGは、ブレードインターフェース202から上面112まで、かつヒールからトウにわたって測定される、平均距離として定義され得る。追加的に、上ブレード部分210は、ヒールブレードの高さの平均HB（L2-L3）を有して画定され得る。概して、ヒールブレードの高さの平均HB（L2-L3）は、ブレードインターフェース202から上面112まで、かつヒール側スコアラインL2とフェース中心スコアラインL3との間にわたって測定される、平均距離として定義され得る。追加的に、上ブレード部分210は、トウブレードの高さの平均HB（L3-L1）を有して画定され得る。概して、トウブレードの高さの平均HB（L3-L1）は、ブレードインターフェース202から上面112まで、かつフェース中心スコアラインL3とトウ側スコアラインL1との間にわたって測定される、平均距離として定義され得る。ブレードの高さの平均の例示的な寸法は、以下、表4Bで、本発明の態様にしたがう例示的な3番、6番および9番アイアンまたは21度、31度、43度ロフトブレードタイプのクラブヘッドそれぞれについて要約されている。
【００６１】
（表４Ｂ）本発明にしたがう例示的な3番、6番および9番アイアンクラブヘッドについてのブレードの高さの平均の要約
2015144806.tif 000009
【００６２】
図11、図16A、図16Bおよび図16Cに示されるように、下マッスル部分220は、ヒール、中心およびトウの位置の各々で、マッスルの厚さまたはマッスル幅WMを有し得る。各位置での幅は、WMXとして認識され、ここで、Xは、適切な断面L1、L2またはL3に対応する。WMXは、指定された断面で、打面から、下マッスル表面220およびブレードインターフェース表面120の交わりの角部まで、垂直に測定される。大抵のクラブは、角部で、鋭い縁ではなく小さいフィレット半径を有することになるので、半径の中心点まで測定されることになる。
【００６３】
追加的に、下マッスル部分220は、ヒール、中央およびトウの位置の各々で、ソールの厚さまたはソール幅WSを有し得る。各位置での幅は、WSXとして認識され、ここで、Xは、断面L1、L2またはL3での測定に依存する適切な数に対応する。WSXは、打面から前縁122まで垂直に測定される。ソール幅WSXは、ヒールからトウにわたってリヤサーフェスを横切って、約8mm〜約16mmの範囲であり得る。図16A〜図16Cは、断面L1、L2およびL3の各々での、マッスル部分220の厚さWMを示す。表5Aおよび表5Bは、以下で、3番アイアン、6番アイアンおよび9番アイアンの例示的な態様、ならびにそれらのマッスル幅WMXおよびソール幅WSXを要約する。
【００６４】
（表５Ａ）3番、6番および9番アイアンクラブヘッドについてのマッスル幅寸法についての例示的寸法
2015144806.tif 000010
【００６５】
（表５Ｂ）3番、6番および9番アイアンクラブヘッドのソール幅寸法についての例示的寸法
2015144806.tif 000011
【００６６】
図12および図14に示されるように、上ブレード部分210は、ヒール116からトウ118にわたる厚さまたはブレード幅の平均WB（リヤサーフェス120から打面110まで測定される）を有し得る。例えば、上ブレード部分210についての厚さまたはブレード幅の平均WBは、約6.5mmであり得る。
【００６７】
追加的に、下マッスル部分220は、マッスル部分のマッスル表面積を有するとして定義され得る。マッスル表面積は、ヒールマッスル表面積とトウマッスル表面積との間で分割され得る。ヒールマッスル表面積は、ヒール側境界線L1とフェース中心面144またはL3との間の、マッスル部分の表面積として定義され得る。トウマッスル表面積は、トウ側境界線L2とフェース中心面144またはL3との間の、マッスル部分の表面積として定義され得る。例えば、3番アイアンまたは21度ロフトクラブヘッドのマッスル部分220のヒール表面積は、約328mm2であり得る。一方、3番アイアンまたは21度ロフトクラブヘッドのマッスル部分220のトウ表面積は、約725mm2であり得る。さらに、3番アイアンまたは21度ロフトクラブヘッドのマッスル220の背面の総表面積は、900〜1200mm2であり得る。マッスル220の総表面積の約30％は、ゴルフクラブヘッドのヒール側に画定され得、それに対応して、マッスル220の総表面積の70％は、ゴルフクラブヘッドのトウ側に画定され得る。別の態様において、マッスル220の総表面積の約25％〜35％は、ゴルフクラブヘッドのヒール側に画定され得、それに対応して、マッスルの総表面積の75％〜65％は、ゴルフクラブヘッドのトウ側に画定され得る。以下の表6は、本発明の局面にしたがう例示的な3番、6番および9番アイアンゴルフクラブヘッドの表面積を要約する。
【００６８】
（表６）3番、6番および9番アイアンクラブヘッドの表面積についての例示的寸法
2015144806.tif 000012
【００６９】
図17および図18は、本発明にしたがう別のブレードタイプのアイアンクラブヘッドを示す。図17および図18に示されるように、クラブヘッド102のリヤサーフェス120は、クラブヘッド102の上ブレード部分210内に配置された凹部を含み得る。
【００７０】
利益
本発明の態様は、ゴルフ業界およびゴルフ業界への異なる参加業界へ多くの利益を提供する。
【００７１】
第一に、マッスル部分の質量分布は、クラブヘッドの重心をフェース中心位置のより近くに移動させる。上述のように、大抵の従来のブレードタイプアイアンに関しては、重心は、フェース中心位置のヒール側およびソール側に、かつフェース中心位置から約3mm離れて位置する。傾斜したマッスル部分を有する本発明の局面にしたがうクラブヘッドについては、重心は、クラブヘッドのトウおよび上面に向かい、フェース中心位置のより近くに約0.5〜1.0mm移動する。これは、フェース中心に対する重心の位置における、約17％〜50％の変化であり、従来のブレードタイプアイアンと比較して、重心をフェース中心のより近くに17％〜50％移動させる。重心をフェース中心位置のより近くに置くことによって、インパクト効率が改善され、ボールスピード、鉛直および水平の発射角、ならびに対応するゴルフボールのバックスピンおよびサイドスピン量を改善することができる。この効率が改善された場合、ゴルフショットの距離および正確性が改善されると考えられる。以下の表7は、本発明にしたがう例示的な3番、6番および9番アイアンクラブヘッドの重心位置および慣性モーメントについて地面座標系における地表原点132Aからの例示的寸法を示す。以下の表8は、本発明にしたがう例示的な3番、6番および9番アイアンクラブヘッドの重心位置および慣性モーメントについてホーゼル座標系におけるホーゼル原点132Bからの例示的寸法を示す。
【００７２】
（表７）3番、6番および9番アイアンクラブヘッドの重心位置および慣性モーメントについて地面座標系における地表原点132Aからの例示的寸法（CG寸法の絶対値が示されている）
2015144806.tif 000013
【００７３】
（表８）3番、6番および9番アイアンクラブヘッドの重心位置および慣性モーメントについてホーゼル座標系におけるホーゼル原点132Bからの例示的寸法（CG寸法の絶対値が示されている）
2015144806.tif 000014
【００７４】
改善された質量分布に加えて、このマッスル構成は、モード周波数において予想外の変化を提供し、ゴルフボールを打つとき、改善された感触および音をもたらす。本明細書で教示されたようなブレードタイプアイアンのトウ領域上部における質量を増加させることは、ヘッドの全構造的剛性を増大させ、同じサイズのフェース、ホーゼルおよびソールプロファイルである従来のマッスルブレード設計と比べて、より高い、第一の非剛体ボディモード固有振動数をもたらすことが見出された。それに対応して、クラブヘッドの中心に近接する減少したマッスルの高さは、同じサイズのフェース、ホーゼルおよびソールプロファイルである従来のマッスルブレード設計と比べて、より小さい、第二のモード固有振動数を作り出す。表9は、その対応する従来のマッスルブレード設計7番アイアンと比較して、本明細書で教示されたゴルフクラブの7番アイアンの2つの構成に関して、3つの第一の非剛体ボディモードの有限要素解析を使用して計算された、予想される固有振動数を表示する。2つの第一のモードの両方は、2000Hz〜5000Hzの範囲の、より高感度のヒト聴覚範囲内の周波数を有する。改善されたブレード設計は、インパクトの間、改善された感触としてゴルファーによって認められる特有の全体的可聴応答を導く。
【００７５】
（表９）本発明の3番、6番および9番ブレードアイアンクラブヘッドについての3次元CADファイルの有限要素解析によって計算された例示的固有振動数
2015144806.tif 000015
【００７６】
結論
本発明は、本発明を実施する現在好ましいモードを含む特定の例に関して詳細に記載されたが、当業者は、上記のシステムおよび方法の数多くの変形および変更があることを認識するであろう。したがって、本発明の主旨および範囲は、添付の特許請求の範囲に記載されるように広く解釈されるべきである。
【符号の説明】
【００７７】
100  ゴルフクラブ
102  ゴルフクラブヘッド
103  グリップ部材
106  シャフト
107  シャフト軸
110  打面
110A  打球区域
112  上面
114  ソール
116  ヒール
118  トウ
120  リヤサーフェス
122  前縁
124  地面
126  ホーゼル
126B  最上縁
128  ホーゼル軸
130  ライ角
132  原点
132A  地表原点
132B  ホーゼル原点
133  Z軸
134  Z'軸
135  X軸
136  X'軸
137  Y軸
138  Y'軸
140  フェース中心
141  CFX
142  水平線
143  CFY
144  フェース中心面
145  CFZ
147  ヘッドの長さ
150  ロフト角
152  軸
154  フェース中心軸
156  軸
160  フェース角
162  直角面
170  重心
171  CGX
172  ΔX
173  CGY
174  ΔY
175  CGZ
176  ΔZ
202  ブレードインターフェース
202A  第一のブレードインターフェース
202B  第二のブレードインターフェース
204  収束点
206  角度
210  上ブレード部分
220  マッスル部分
1102  クラブヘッド
1110  フェース
1112  上面
1114  ソール
1116  ヒール
1118  トウ
1120  リヤサーフェス
1202  ブレードインターフェース
1210  上ブレード部分
1220  マッスル部分
【図１】
2015144806.tif 000016
【図２Ａ】
2015144806.tif 000017
【図２Ｂ】
2015144806.tif 000018
【図３】
2015144806.tif 000019
【図４】
2015144806.tif 000020
【図５】
2015144806.tif 000021
【図６】
2015144806.tif 000022
【図７】
2015144806.tif 000023
【図８】
2015144806.tif 000024
【図９】
2015144806.tif 000025
【図１０】
2015144806.tif 000026
【図１１】
2015144806.tif 000027
【図１２】
2015144806.tif 000028
【図１３】
2015144806.tif 000029
【図１４】
2015144806.tif 000030
【図１５】
2015144806.tif 000031
【図１６】
2015144806.tif 000032
【図１７】
2015144806.tif 000033
【図１８】
2015144806.tif 000034
【外国語明細書】
2015144806000001.pdf